(57)【要約】【課題】組立て作業の途中でコネクタ本体をケーブルに固定することで、組立ての作業性を向上できる防水コネクタを提供すること。【解決手段】ケーブル１のシールド網組１７を外側に折り返しその上にシールドテープを巻回してシールド部１８を形成する。筒状のスペーサ７の両端にコネクタ本体５とシールド部の一部とをそれぞれ嵌入させる。シールド部の他部はシールドスリーブ８に圧入する。こうしてケーブルに固定されたインサート組立１９を構成する。このインサート組立を筐体４に挿入してケーブルクランプ１１と筐体とをグランドナット１２により締め付け、シールドスリーブを介してシールド部を筐体に電気的に接続させるとともにケーブルクランプによりケーブルを固定する。【選択図】　　　　図１
2004146290.tif 000002
【特許請求の範囲】
【請求項１】
シールド編組を有するケーブルに接続される防水コネクタにおいて、筐体と、前記筐体内に配置されたコネクタ本体と、筒状のスペーサと、シールドスリーブと、ケーブルクランプと、グランドナットとを含み、
前記シールド網組を外側に折り返しその上にシールドテープを巻回してシールド部を形成し、前記スペーサの両端に前記コネクタ本体と前記シールド部の一部とをそれぞれ嵌入させ、かつ前記シールド部の他部を前記シールドスリーブに圧入し、これにより前記ケーブルに固定されたインサート組立を構成し、
前記インサート組立を前記筐体に挿入して前記ケーブルクランプと前記筐体とを前記グランドナットにより締め付け、前記シールドスリーブを介して前記シールド部を前記筐体に電気的に接続させるとともに前記ケーブルクランプにより前記ケーブルを固定するようにしたことを特徴とする防水コネクタ。
【請求項２】
前記グランドナットにより押圧されて防水性を高めるブッシングをさらに有する請求項１に記載の防水コネクタ。
【請求項３】
前記筐体は、前記シールド部に圧接される導電性のバレルと、前記バレルの外側に備えられ、相手コネクタに結合されるカップリングナット組立とを含む請求項１又は２に記載の防水コネクタ。
【発明の詳細な説明】
【０００１】
【発明の属する技術分野】
本発明は、シールド網組を有するケーブルに接続されるコネクタに関し、特に、防水機能をもたせた防水コネクタに関する。
【０００２】
【従来の技術】
この種の防水コネクタとしては、例えば特許文献１に開示されているものがある。その防水コネクタは、シールド網組を有するケーブルに接続されるものである。コネクタの接続に先立ち、ケーブルの端部近傍のシールド網組を外側に折返し、その上にシールドテープを巻き付けてシールド部を作る。この処理の後、ケーブルの芯線にコネクタ本体を接続し、筒状のエンドベルの両端をコネクタ本体とシールド部とにそれぞれ嵌合させる。エンドベルとシールドテープとの間には外側からシールドスリーブを挿入する。さらに、ケーブル側からグランドナットをエンドベルに螺合させ、シールドスリーブに軸方向で対向したブッシングをスリーブ部品を介して締め付ける。こうして、エンドベルの内側に防水空間が形成される。この防水空間に芯線やシールド線が引き出され、コネクタ本体の端子に接続される。
【０００３】
【特許文献１】
特開２００２−５６９３７号公報
【０００４】
【発明が解決しようとする課題】
しかし、グランドナットをエンドベルに螺合させるときには、エンドベルはケーブルに対し可動な状態にあるため、その後の組立て作業が簡単ではない。即ち、エンドベルとシールドテープとの間に外側からシールドスリーブを挿入するのみであり、この状態でコネクタ本体をケーブルに固定するという考えはないため、コネクタ本体がぐらつき、その後の組立て作業の障害になってしまう。
【０００５】
それ故に本発明の課題は、組立て作業の途中でコネクタ本体をケーブルに固定することで、組立ての作業性を向上できる防水コネクタを提供することにある。
【０００６】
【課題を解決するための手段】
本発明の一態様によれば、シールド編組を有するケーブルに接続される防水コネクタにおいて、筐体と、前記筐体内に配置されたコネクタ本体と、筒状のスペーサと、シールドスリーブと、ケーブルクランプと、グランドナットとを含み、前記シールド網組を外側に折り返しその上にシールドテープを巻回してシールド部を形成し、前記スペーサの両端に前記コネクタ本体と前記シールド部の一部とをそれぞれ嵌入させ、かつ前記シールド部の他部を前記シールドスリーブに圧入し、これにより前記ケーブルに固定されたインサート組立を構成し、前記インサート組立を前記筐体に挿入して前記ケーブルクランプと前記筐体とを前記グランドナットにより締め付け、前記シールドスリーブを介して前記シールド部を前記筐体に電気的に接続させるとともに前記ケーブルクランプにより前記ケーブルを固定するようにしたことを特徴とする防水コネクタが得られる。
【０００７】
前記グランドナットにより押圧されて防水性を高めるブッシングをさらに有してもよい。
【０００８】
前記筐体は、前記シールド部に圧接される導電性のバレルと、前記バレルの外側に備えられ、相手コネクタに結合されるカップリングナット組立とを含んでもよい。
【０００９】
【発明の実施の形態】
図１及び図２を参照して、本発明の実施の形態に係る防水コネクタについて説明する。
【００１０】
図示の防水コネクタは、シールド線となるシールド編組を有するケーブル１に接続されるものであり、導電性の円筒状バレル２と円筒状バレル２の外側に備えられたカップリングナット組立３とを有する筐体４を含んでいる。カップリングナット組立３は相手コネクタ（図示せず）に挿入することにより、ワンタッチでロックされ結合されるものである。後述から明らかになるように、円筒状バレル２はケーブル１のシールド線を相手コネクタに接続する役目を果たす。
【００１１】
この防水コネクタはさらに、円筒状バレル２の内側に配置されたコネクタ本体５と、円筒バレル２の内側に配置され、コネクタ本体５とケーブル１の端部近傍に設けたシールド部６の一部とにそれぞれ両端を嵌合された円筒状のスペーサ７と、シールド部６の他部に嵌合した導電性のシールドスリーブ８と、シールドスリーブ８に軸方向で対向したブッシュ９と、ブッシュ９に隣接したケーブルクランプ１１と、ケーブルクランプ１１に係合し、円筒状バレル２の外側に螺合したグランドナット１２と、ケーブル１に嵌合しかつグランドナット１２に軸方向で係合した絶縁性のブーツ１３とを含んでいる。
【００１２】
コネクタ本体５は、インシュレータ１４に複数の導電性コンタクト１５を固定保持したものである。コンタクト１５はケーブル１の芯線１６にそれぞれ接続される。
【００１３】
次に図３−図５を参照して、上述した防水コネクタの組立作業について順次説明する。
【００１４】
図３に示す第１工程において、ケーブル１に、予め、スペーサ７、シールドスリーブ８、ブッシュ９、ケーブルクランプ１１、グランドナット１２、及びブーツ１３をこの逆の順で嵌合状態に装着する。そして、ケーブル１の端部近傍の被覆を剥いてシールド網組１７を外側に折り返す。
【００１５】
図４に示す第２工程では、折り返したシールド網組の上に導電性のシールドテープを巻回して上述したシールド部６を形成する。また、ケーブル１の複数の芯線１６にコネクタ本体５のコンタクト１５をそれぞれ接続する。
【００１６】
図５に示す第３工程では、スペーサ７をスライドさせてその一端をコネクタ本体５のインシュレータ１４の外側の一部に嵌合させる。換言すると、インシュレータ１４がスペーサ７に圧入固定される。ケーブル１のシールド網組がシールド部６に処理されているので、スペーサ７をスライドさせる作業はシールド網組により阻害されることなく容易に実施できる。
【００１７】
図６に示す第４工程では、スペーサ７の他端をシールド部６の一部に嵌合させる。換言すると、シールド部６がスペーサ７に圧入固定される。この結果、スペーサ７の内側では芯線１６が少し弛んだ状態になる。さらに、シールドスリーブ８をスライドさせてシールド部６の他部に嵌合させ、スペーサ７に軸方向で当接させる。換言すると、シールド部６がシールドスリーブ８にスペーサ７に突き当たるまで圧入される。こうしてケーブル１に固定されたインサート組立１９を形成する。その後、インサート組立て１９を円筒状バレル２の内側に挿入する。このとき、インシュレータ１４が円筒状バレル２の内面の肩部２１に係合し、軸方向位置が定まる。インサート組立１９はケーブル１に固定されかつ円筒状バレル２に一括で挿入できるため、組立てが容易である。
【００１８】
図１及び図２に戻り最終工程について説明する。ブッシュ９、ケーブルクランプ１１、グランドナット１２、及びブーツ１３をケーブル１に沿ってスライドさせてインサート組立１９に近づけ、グランドナット１２を円筒状バレル２の外周面に螺合させる。グランドナット１２をしっかりと締め付けると、ケーブルクランプ１１がケーブル１をしっかりとクランプする。この結果、防水コネクタがケーブル１に機械的に接続される。
【００１９】
同時に、円筒状バレル２がシールドスリーブ８の外側に圧接状態で嵌合するとともに、グランドナット１２がケーブルクランプ１１、ブッシュ９、及びシールドスリーブ８を軸方向で押圧する。この結果、シールドスリーブ８が円筒状バレル２に接触部２１で軸方向に圧接される。したがって、シールド部６はシールドスリーブ８を介して円筒状バレル２に電気的に確実に接続される。
【００２０】
それとともに、ブッシュ９は円筒状バレル２にシール部２２で軸方向に圧接される。したがって、ブッシュ９の作用により優れた防水性が備えられる。
【００２１】
こうして、この防水コネクタはケーブル１に電気的及び機械的に確実に接続され、かつ防水性においても優れたものとなる。
【００２２】
【発明の効果】
以上説明したように、本発明によれば、組立て作業の途中でコネクタ本体をスペーサを介してケーブルに固定してインサート組立を形成し、このインサート組立を筐体に挿入することで組立ての作業性を向上した防水コネクタを提供することができる。
【図面の簡単な説明】
【図１】本発明の実施の形態に係る防水コネクタのケーブル取り付け状態での断面図である。
【図２】図１の防水コネクタの要部のみの拡大断面図である。
【図３】図１の防水コネクタをケーブルに取り付ける第１工程を示した断面図である。
【図４】図１の防水コネクタをケーブルに取り付ける第２工程を示した断面図である。
【図５】図１の防水コネクタをケーブルに取り付ける第３工程を示した断面図である。
【図６】図１の防水コネクタをケーブルに取り付ける第４工程を示した断面図である。
【符号の説明】
１　ケーブル
２　円筒状バレル
３　カップリングナット組立
４　筐体
５　コネクタ本体
６　シールド部
７　スペーサ
８　シールドスリーブ
９　ブッシュ
１１　ケーブルクランプ
１２　グランドナット
１３　ブーツ
１４　インシュレータ
１５　コンタクト
１６　芯線
１７　シールド網組
１９　インサート組立
２１　接触部
２２　シール部
【図１】
2004146290.tif 000003
【図２】
2004146290.tif 000004
【図３】
2004146290.tif 000005
【図４】
2004146290.tif 000006
【図５】
2004146290.tif 000007
【図６】
2004146290.tif 000008